(57)【要約】【課題】購入者の満足度の向上と、販売者の使い勝手のよい容器ないし組合せ容器の提供。【解決手段】第一の容器１および第二の容器２のそれぞれの飲み口５，５にキャップ６，６を螺着して清涼飲料水Ａ，Ｂを封入し、第二の容器２のキャップ６の小径雄ネジ部９を第一の容器１の小径雌ネジ部１３に螺合するとともに第二の容器２のキャップ６の大径雄ネジ部８を第一の容器１の大径雌ネジ部１４に螺合するように組合わせる。購入者がこの組合せ容器１５に入った清涼飲料水Ａ，Ｂを選択して購入し、組合せ容器１５が自動販売機の取出し口まで落下して衝撃を受けた場合でも、第一容器１と第二容器２とが離脱するのを確実に防止できる。また、購入者は異なった種類の清涼飲料水Ａ，Ｂを一本部の容器で楽しむことができ、便利である。【選択図】図１
2005119737.tif 000002
【特許請求の範囲】
【請求項１】
他の容器に組合わされて使用される容器であって、容器本体と、この容器本体から縮径する肩部を介して形成される飲み口部とを備え、前記縮径部の周方向に沿って、他の容器の底部に形成された雌ネジ部に螺合する雄ネジ部が形成されたことを特徴とする容器。
【請求項２】
他の容器に組合わされて使用される容器であって、容器本体の底部に形成された凹部の周面に、容器本体とこの容器本体から縮径する肩部を介して形成される飲み口部とを備えた他の容器における少なくとも肩部に形成された雄ネジ部に螺合する雌ネジ部が形成されたことを特徴とする容器。
【請求項３】
一方の容器と他方の容器とを長手方向に組合せてなる組合せ容器であって、一方の容器の底部に、他方の容器の飲み口部および肩部が挿入される凹部が形成され、一方の容器の凹部と他方の容器の飲み口部および肩部とが、一方の容器の凹部に形成された雌ネジ部および他方の容器の飲み口部および肩部に形成された雄ネジ部を介して螺合されたことを特徴とする組合せ容器。
【請求項４】
請求項３記載の組合せ容器であって、他方の容器の飲み口部にキャップが取付けられ、このキャップの外周面に形成された雄ネジ部が一方の凹部の内周面に形成された雌ネジ部に螺合されたことを特徴とする組合せ容器。
【発明の詳細な説明】
【技術分野】  本発明は、例えば清涼飲料水を充填するための容器、特に自動販売機内にセットされる容器に関する。
【背景技術】  複数種類の異なった清涼飲料水を充填するために、それぞれ別の清涼飲料水を封入する複数の容器単体を連結するように一体化した組合せ容器として、例えば、特許文献１参照に示すものがある。
【特許文献１】  特開平１１−３０１６７４号
【発明の開示】
【発明が解決しようとする課題】  上記従来の組合せ容器では、複数種類の清涼飲料水を一本分の容器で取扱うことができ、購入者も複数種類の清涼飲料水を一本分の容器で求めることができる。またこの組合せ容器は、自動販売機にも対応できる旨の記載がある。
しかし上記組合せ容器では、容器単体どうしの連結部分の構造が単なる嵌合用の凹凸部（あるいは凹凸状のフック）でしかない。このため、例えばこのような組合せ容器を自動販売機にセットした場合において、その案内路に沿って取出し口まで落下して衝撃を受けると、容器単体どうしが容易に離脱してしまう可能性が考えられる。
そこで本発明は、上記課題を解決し得る容器および組合せ容器の提供を目的とする。
【課題を解決するための手段】  本発明は、他の容器に組合わされて使用される容器であって、容器本体と、この容器本体から縮径する肩部を介して形成される飲み口部とを備え、前記縮径部の周方向に沿って、他の容器の底部に形成された雌ネジ部に螺合する雄ネジ部が形成されている。
また本発明は、他の容器に組合わされて使用される容器であって、容器本体の底部に形成された凹部の周面に、容器本体とこの容器本体から縮径する肩部を介して形成される飲み口部とを備えた他の容器における少なくとも肩部に形成された雄ネジ部に螺合する雌ネジ部が形成されている。
上記構成の各容器によれば、他の容器と雌ネジ部と雄ネジ部とを螺合することで、両容器を確実に組合わせることができ、多少の衝撃を受けたとしても容易に容器どうしが離脱しない。
また本発明は、一方の容器と他方の容器とを長手方向に組合せてなる組合せ容器であって、一方の容器の底部に、他方の容器の飲み口部および肩部が挿入される凹部が形成され、一方の容器の凹部と他方の容器の飲み口部および肩部とが、一方の容器の凹部に形成された雌ネジ部および他方の容器の飲み口部および肩部に形成された雄ネジ部を介して螺合されている。
このような組合せ容器では、容器どうしが雌ネジ部および雄ネジ部を介して螺合されているので、例えば自動販売機にセットして使用する場合、購入者がこの組合せ容器に封入されている飲料水（例えば清涼飲料水）を選択して購入した際、組合せ容器は取出し口まで落下して所定の衝撃をうけるものの、容器どうしは雌ネジ部と雄ネジ部とを螺合することで確実に組合わされているので、上記のような衝撃のみで分離してしまう事態を効果的に防止することができる。
本発明の実施態様として、他方の容器の飲み口部にキャップが取付けられ、このキャップの外周面に形成された雄ネジ部が一方の凹部の内周面に形成された雌ネジ部に螺合されている。
このように、他方の容器のキャップの雄ネジ部を、一方の容器の凹部の雌ネジ部に螺合することで、いっそう確実に容器どうしを組合わせることができる。
そして本発明の組合せ容器によれば、別個の容器どうしを組合せているので、それぞれ異なった種類の飲料水を充填することができ、購入者は一本分の購入でその分だけ楽しむことができ、購入者の満足度が向上する。
【発明の効果】  本発明の容器および組合せ容器によれば、複数種の飲料水を一本分の容器で楽しむことができ、便利であるとともに購入者の満足度を向上させることができる。
【発明を実施するための最良の形態】  以下、図面に基づいて本発明による最良の形態の容器および組合せ容器を説明する。図１は自動販売機にセットする際に第一の容器と第二の容器とを組付けた状態の斜視図、図２は第一の容器と第二の容器とを組付けた状態の断面図である。
これらの図において、１は第一の容器、２は第二の容器を示す。第一の容器１、および第二の容器２は同一の構成であるので、第一の容器１の構成をもって第二の容器２の構成の説明も兼ねるとする。また第一の容器１および第二の容器２はともにＰＥＴ（ポリエチレン・テレフタレート）から形成されている。
第一の容器１は、筒状本体３と、この本体３から縮径する縮径部としての肩部４と、本体３にこの肩部４を介して絞るように縮径して形成される飲み口部５と、この飲み口部５に着脱自在に取付けられたキャップ６と、本体３の底面に形成された円錐台状の凹部７を有する。
肩部４の外周面には、その周方向に沿って大径雄ネジ部８が形成され、飲み口部５とキャップ６とは従来と同様に口ネジ部９ａを介して着脱自在に螺合されている。
キャップ６の外周面には周方向に沿う小径雄ネジ部９が形成されている。大径雄ネジ部８と小径雄ネジ部９とは同一ピッチに形成されている。
凹部７の壁面は、飲み口５側に配置される天壁１０と、この天壁１０に連続する円筒壁面１１と、この円筒壁面１１に連続する円錐壁面１２とを有する。
円筒壁面１１にはその周方向に沿って第二の容器２の小径雄ネジ部９に螺合する小径雌ネジ部１３が形成されている。円錐壁面１２にはその周面に沿って第二の容器２の大径雄ネジ部８に螺合する大径雌ネジ部１４が形成されている。
上記構成を有する第一の容器１および第二の容器２は、それぞれが組合されて組合せ容器１５となる。この組合せ容器１５の大きさは、従来から使用されている自動販売機の容器セットスペースに装着できる大きさである。
このような組合せ容器１５の組立て手順を説明する。すなわち、それぞれ異なった種類の清涼飲料水Ａ，Ｂ（一方に、単なる飲料水も含む）を充填した第一の容器１および第二の容器２を準備し、第一の容器１および第二の容器２のそれぞれの飲み口５，５にキャップ６，６を螺着して清涼飲料水Ａ，Ｂを封入する。清涼飲料水Ａ，Ｂの種類としては、種々考えられる。
この状態で第二の容器２の飲み口５側を第一の容器１の凹部７側に配置し、第二の容器２のキャップ６の小径雄ネジ部９を第一の容器１の小径雌ネジ部１３に螺合するとともに第二の容器２のキャップ６の大径雄ネジ部８を第一の容器１の大径雌ネジ部１４に螺合する。
但し、第二の容器２のキャップ６の小径雄ネジ部９と第一の容器１の小径雌ネジ部１３との螺合力は、第二の容器２のキャップ６の大径雄ネジ部８と第一の容器１の大径雌ネジ部１４との螺合力に比べて弱く設定しておく。このようにして、第一の容器１と第二の容器２とを確実に組合わされた組合せ容器１５となる。
このような組合せ容器１５は不図示の自動販売機の容器セットスペースにセットされる。そして、購入者がこの組合せ容器１５に入った清涼飲料水Ａ，Ｂを選択して購入した際、組合せ容器１５は自動販売機の案内路に沿って取出し口まで落下する。このとき組合せ容器１５はある程度の衝撃を受ける。
しかし、第一容器１と第二容器２とは、小径雄ネジ部９と小径雌ネジ部１３、および大径雄ネジ部８と大径雌ネジ部１４とで螺合した状態で組合わされているので、上記の衝撃で容器１，２どうしが離脱してしまうことを効果的に防止することができる。
そして購入者は、異なった種類の清涼飲料水Ａ，Ｂを一本分の容器で、便利に楽しむことができる。あるいは購入者が複数であり、それぞれの好みが異なっていた場合であっても、一本分を購入することでそれぞれの好みに合わせることができ、便利である。さらに例えば、運動会などの催し物会場において、昼食前に清涼飲料水Ａを飲み、昼食の際に清涼飲料水Ｂとしてのお茶を飲むようすることができるなど、用途は自由であり多様である。
なお、特に第二の容器２に封入された清涼飲料水Ｂを飲む場合、第一の容器１と第二の容器２とを分離させる必要があるが、第二の容器２のキャップ６の小径雄ネジ部９と第一の容器１の小径雌ネジ部１３との螺合力は、第二の容器２のキャップ６の大径雄ネジ部８と第一の容器１の大径雌ネジ部１４との螺合力に比べて弱く設定されているので、第一の容器１と第二の容器２とを相対的に容器１，２の軸心回りに回転させることで、第二の容器２のキャップ６が飲み口５から外れることなく両容器１，２を容易に分離させることができる。
ところで、この実施の形態では、第一の容器１および第二の容器２は同一の構成である。したがって、第一の容器１および第二の容器２を同一の金型で形成することができ、その分だけ製造コストを低減することができる。また、構成が同一の容器１，２を組合わせるように使用することで、何れの容器１，２を第一の容器１、第二の容器２として使用してもよく、したがって、容器１，２どうしを組合わせる際にこれらを考慮する必要がない分だけ、組合せ（組立）作業時間を低減することができる。
他の実施の形態を、図３の斜視図および図４の断面図に基づいて説明する。この実施の形態において、第一の容器１の構成が異なる部分は、キャップ６の外周面に小径雄ネジ部９が形成されていない点である。また、第二の容器２の構成が異なる部分は、凹部７を有しない点である。他の構成は上記実施の形態と同様であるので、同一の符号を付してその説明を省略する。
この場合、凹部７を有しない分だけ第一の容器１と第二の容器２とで容量は異なるが、充填する清涼飲料水Ａ，Ｂの種類を変えることができるので、糖分の多い清涼飲料水Ａは第一の容器１へ、清涼飲料水Ｂを飲料水（水）として第二の容器２へ封入するといった利用法が可能になるため、購入者において健康的な使用方法が可能になる。
第一の容器１と第二の容器２とを組合わせる際の方法は、上記実施の形態と同様であるのでその説明を省略する。
本発明は上記実施の形態に限定されるものではない。例えば、上記各実施の形態では、第二の容器２のキャップ６が凹部７に螺合できるよう、それぞれ小径雄ネジ部９の径と小径雌ネジ部１３の径とを合致させ、自動販売機での使用に対応させて容易に容器１，２どうしが離脱しないよう構成した。
しかし、大径雄ネジ部８と大径雌ネジ部１４との螺合力でも充分に非分離可能である場合には、小径雄ネジ部９の径と小径雌ネジ部１３を設けなくても、大径雄ネジ部８と大径雌ネジ部１４との螺合のみであってもよい。
また、図５の拡大断面図に示すように、大径雄ネジ部８と大径雌ネジ部１４とは別に、第一の容器１および第二の容器２の間に間隔螺子２０ａ，２０ｂを形成して、より確実に第一の容器１と第二の容器２とを組合わせるようにしてもよい。
【図面の簡単な説明】
【図１】本発明の組合せ容器の最良の形態を示す斜視図
【図２】同じく断面図
【図３】別の形態を示す組合せ容器の斜視図
【図４】同じく断面図
【図５】さらに別の形態を示す部分拡大断面図
【符号の説明】
１      第一の容器
２      第二の容器
３      筒状本体
４      肩部
５      飲み口部
６      キャップ
７      凹部
【図１】
2005119737.tif 000003
【図２】
2005119737.tif 000004
【図３】
2005119737.tif 000005
【図４】
2005119737.tif 000006
【図５】
2005119737.tif 000007